(57)【要約】【課題】映像・音声の記録再生時に、操作手順が簡単で誤操作を防止可能な操作手段を備えた記録再生装置及びテレビ放送受信装置を提供する。【解決手段】録画時に使用する制御機能群からなる録画用操作入力手段１０５と再生時に使用する制御機能群からなる再生用操作入力手段１０６とに区分して独立して別個に備え、更に、いずれかの操作入力手段を排他的に操作の有効な状態に切り替える切替手段を備える。操作入力手段となる制御機能群のそれぞれは、制御パネル上及び／又はリモコン上の操作ボタンを用いて録画用と再生用とに区分して構成しても良いし、映像を表示する画面上に録画用と再生用とに区分した仮想的なボタンイメージからなる操作画面を映像出力信号と重畳して表示して、制御パネル上及び／又はリモコン上の操作ボタンを用いて、仮想的なボタンイメージのうちいずれかを選択することにより、対応する録画用又は再生用の制御機能を実行させても良い。【選択図】図１
2006041933.tif 000002
【特許請求の範囲】
【請求項１】
映像や音声を記録及び再生する機能を有する記録再生装置において、録画用及び再生用に使用する各種の制御機能を、録画時に使用する制御機能群からなる録画用操作入力手段と、再生時に使用する制御機能群からなる再生用操作入力手段とに区分し、録画用操作入力手段と再生用操作入力手段として、独立して別個に備えることを特徴とする記録再生装置。
【請求項２】
請求項１に記載の記録再生装置において、録画用操作入力手段と再生用操作入力手段とのいずれかを、操作が有効な状態に排他的に切り替えることができる切替手段を備えていることを特徴とする記録再生装置。
【請求項３】
映像や音声を記録及び再生する機能を有する記録再生装置において、録画用及び再生用に使用する各種の制御機能を、録画用と再生用とのそれぞれに固有の制御機能と両者で共用可能な制御機能とに区分し、更に、録画用と再生用とのそれぞれに固有の制御機能を互いに区分して配置すると共に、両者で共用可能な制御機能を一つに統合して配置した一つの操作入力手段として構成していることを特徴とする記録再生装置。
【請求項４】
請求項３に記載の記録再生装置において、一つの操作入力手段を構成する各制御機能のうち、録画時に使用する制御機能群と再生時に使用する制御機能群とのいずれかを、操作が有効な状態に排他的に切り替えることができる切替手段を備えていることを特徴とする記録再生装置。
【請求項５】
請求項１乃至４のいずれかに記載の記録再生装置において、更に、当該記録再生装置の現在の制御状態を画面表示する状態表示手段を備えていることを特徴とする記録再生装置。
【請求項６】
請求項５に記載の記録再生装置において、前記状態表示手段が、映像出力信号を画面表示する映像・音声表示装置の画面上に、現在の状態を該映像出力信号に重畳して画面表示することを特徴とする記録再生装置。
【請求項７】
請求項１乃至６のいずれかに記載の記録再生装置において、録画用及び再生用の操作入力手段を構成する制御機能群のそれぞれの制御機能が、当該記録再生装置の制御パネル上の操作ボタンを用いて録画用と再生用とに区分されて構成されているか、及び／又は、当該記録再生装置を遠隔操作するリモートコントローラ上の操作ボタンを用いて録画用と再生用とに区分されて構成されていることを特徴とする記録再生装置。
【請求項８】
請求項１乃至６のいずれかに記載の記録再生装置において、録画用及び再生用の操作入力手段を構成する制御機能群のそれぞれの制御機能が、映像出力信号を画面表示する映像・音声表示装置の画面上に、操作画面として該映像出力信号に重畳して画面表示される録画用と再生用とに区分して配置された仮想的なボタンイメージであり、当該記録再生装置の制御パネル上の操作ボタン、及び／又は、当該記録再生装置を遠隔操作するリモートコントローラ上の操作ボタンを用いて、前記仮想的なボタンイメージのいずれかを選択することにより、対応する録画用又は再生用の制御機能を実行させることができることを特徴とする記録再生装置。
【請求項９】
受信したテレビ放送を画面表示する映像・音声表示装置を備えたテレビ放送受信装置において、当該テレビ放送受信装置に接続されて、映像や音声を録画及び再生する機能を有する映像・音声記録再生装置を接続する接続手段と、該接続手段により当該テレビ放送受信装置に接続された前記映像・音声記録再生装置の録画用及び再生用の操作を遠隔で実施可能な遠隔操作手段と、を備え、該遠隔操作手段が、録画用及び再生用に使用する各種の制御機能を、録画時に使用する制御機能群からなる録画用操作入力手段と、再生時に使用する制御機能群からなる再生用操作入力手段とに区分し、録画用操作入力手段と再生用操作入力手段として、独立して別個に構成されていることを特徴とするテレビ放送受信装置。
【請求項１０】
請求項９に記載のテレビ放送受信装置において、前記遠隔操作手段として、録画用操作入力手段と再生用操作入力手段とのいずれかを、操作が有効な状態に排他的に切り替えることができる切替手段を備えていることを特徴とするテレビ放送受信装置。
【請求項１１】
請求項９又は１０に記載のテレビ放送受信装置において、前記遠隔操作手段として、更に、接続された前記映像・音声記録再生装置の現在の制御状態を画面表示する状態表示手段を備えていることを特徴とするテレビ放送受信装置。
【請求項１２】
請求項９乃至１１のいずれかに記載のテレビ放送受信装置において、前記遠隔操作手段の録画用及び再生用の操作入力手段を構成する制御機能群のそれぞれの制御機能が、当該テレビ放送受信装置の制御パネル上の操作ボタンを用いて録画用と再生用とに区分されて構成されているか、及び／又は、当該テレビ放送受信装置を遠隔操作するリモートコントローラ上の操作ボタンを用いて録画用と再生用とに区分されて構成されていることを特徴とするテレビ放送受信装置。
【請求項１３】
請求項９に記載のテレビ放送受信装置において、前記遠隔操作手段の録画用及び再生用の操作入力手段を構成する制御機能群のそれぞれの制御機能が、映像出力信号を画面表示する映像・音声表示装置の画面上に、操作画面として該映像出力信号に重畳して画面表示される録画用と再生用とに区分して配置された仮想的なボタンイメージであり、当該テレビ放送受信装置の制御パネル上の操作ボタン、及び／又は、当該テレビ放送受信装置を遠隔操作するリモートコントローラ上の操作ボタンを用いて、前記仮想的なボタンイメージのいずれかを選択することにより、対応する録画用又は再生用の制御機能を実行させることができることを特徴とするテレビ放送受信装置。
【請求項１４】
請求項１３に記載のテレビ放送受信装置において、録画用に区分して配置された仮想的なボタンイメージ群からなる録画用操作画面と再生用に区分して配置された仮想的なボタンイメージ群からなる再生用操作画面とのいずれかを、操作が有効な状態に排他的に切り替えることができる切替手段を備えていることを特徴とするテレビ放送受信装置。
【請求項１５】
請求項１４に記載のテレビ放送受信装置において、録画用操作画面と再生用操作画面とのうち、前記切替手段が操作を有効な状態にした操作画面のみを、映像出力信号に重畳して映像・音声表示装置の画面上に画面表示することを特徴とするテレビ放送受信装置。
【請求項１６】
請求項１４又は１５に記載のテレビ放送受信装置において、前記切替手段が操作を有効な状態とする操作画面として、録画用操作画面又は再生用操作画面のいずれかに切り替える際に、同時に、該操作画面に重畳して画面表示する映像出力信号も、操作を有効な状態とされた録画用操作画面又は再生用操作画面のそれぞれに対応する録画映像信号又は再生映像信号のいずれかに切り替えられて、画面表示されることを特徴とするテレビ放送受信装置。
【請求項１７】
請求項１３又は１４に記載のテレビ放送受信装置において、録画用に区分して配置された仮想的なボタンイメージ群からなる録画用操作画面と、録画用の映像出力信号を画面表示する録画映像画面と、再生用に区分して配置された仮想的なボタンイメージ群からなる再生用操作画面と、再生用の映像出力信号を画面表示する再生映像画面とを、同時に表示することができることを特徴とするテレビ放送受信装置。
【請求項１８】
請求項１７に記載のテレビ放送受信装置において、再生映像画面の画面領域と録画映像画面の画面領域との大きさが略等しいか、あるいは、再生映像画面の画面領域の大きさが録画映像画面の画面領域よりも大きいことを特徴とするテレビ放送受信装置。
【請求項１９】
請求項１３乃至１８のいずれかに記載のテレビ放送受信装置において、録画用操作画面及び／又は再生用操作画面に、更に、接続された前記映像・音声記録再生装置の現在の制御状態を画面表示する状態表示手段を備えていることを特徴とするテレビ放送受信装置。
【請求項２０】
請求項９乃至１９のいずれかに記載のテレビ放送受信装置において、前記映像・音声記録再生装置を、当該テレビ放送受信装置の外部機器として外部接続しているか、あるいは、当該テレビ放送受信装置内に内蔵して内部接続していることを特徴とするテレビ放送受信装置。
【発明の詳細な説明】
【技術分野】
【０００１】
本発明は、記録再生装置及びテレビ放送受信装置に関し、特に、記録再生装置及びテレビ放送受信装置における録画及び再生の操作手段に関する。
【背景技術】
【０００２】
録画機器の制御パネルには、一般に、録画、再生、停止などの各種操作ボタンを制御機能として並べて、録画機器の操作をしているのが通例である。これらの制御パネルには、現在の制御状態を表示して、処理している動作を、操作者に知らせる機能も、一般的に備えられている。
また、ハードディスクドライブを用いた記録機器などでは、録画しながら再生できる機能を持つものも存在している。
【０００３】
録画、再生、停止の各ボタンがまとめて並べられた操作パネルでは、操作者が再生しようとして、誤って録画ボタンを押してしまい、録画された映像・音声を消去する誤操作を起こし易いという問題があった。
また、録画しながら再生できる機能を持つ録画再生機器の場合、状態表示の内容も、録画中のものと、再生中のものの二つの状態があり、どちらの情報なのかわかりにくい問題もある。
【０００４】
これに対して、例えば、特許文献１の特開２００２−３０５７０６号公報「映像録画再生装置」のように、録画操作の際に、問い合わせ画面を画面表示して確認を得ることにより、誤操作防止の機能を実現するような技術も提案されている。
【特許文献１】特開２００２−３０５７０６号公報
【発明の開示】
【発明が解決しようとする課題】
【０００５】
しかしながら、誤操作防止のために、前述のごとき確認画面を用いる方法では、録画を始めようとするその瞬間において、操作すべき操作手順が多くなり、録画開始のタイミングが遅れてしまうという問題が残っている。
【０００６】
本発明は、かかる事情に鑑みてなされたものであり、録画などの操作手順が簡単で、かつ、誤操作の防止が可能な操作手段を提供しようとするものである。
【課題を解決するための手段】
【０００７】
前述の問題を解決するために、本発明に係る記録再生装置及びテレビ放送受信装置は、次のような技術手段から構成される。
【０００８】
第１の技術手段は、映像や音声を記録及び再生する機能を有する記録再生装置において、録画用及び再生用に使用する各種の制御機能を、録画時に使用する制御機能群からなる録画用操作入力手段と、再生時に使用する制御機能群からなる再生用操作入力手段とに区分し、録画用操作入力手段と再生用操作入力手段として、独立して別個に備えることを特徴とする。
【０００９】
第２の技術手段は、前記第１の技術手段に記載の記録再生装置において、録画用操作入力手段と再生用操作入力手段とのいずれかを、操作が有効な状態に排他的に切り替えることができる切替手段を備えていることを特徴とする。
【００１０】
第３の技術手段は、映像や音声を記録及び再生する機能を有する記録再生装置において、録画用及び再生用に使用する各種の制御機能を、録画用と再生用とのそれぞれに固有の制御機能と両者で共用可能な制御機能とに区分し、更に、録画用と再生用とのそれぞれに固有の制御機能を互いに区分して配置すると共に、両者で共用可能な制御機能を一つに統合して配置した一つの操作入力手段として構成していることを特徴とする。
【００１１】
第４の技術手段は、前記第３の技術手段に記載の記録再生装置において、一つの操作入力手段を構成する各制御機能のうち、録画時に使用する制御機能群と再生時に使用する制御機能群とのいずれかを、操作が有効な状態に排他的に切り替えることができる切替手段を備えていることを特徴とする。
【００１２】
第５の技術手段は、前記第１乃至第４の技術手段のいずれかに記載の記録再生装置において、更に、当該記録再生装置の現在の制御状態を画面表示する状態表示手段を備えていることを特徴とする。
【００１３】
第６の技術手段は、前記第５の技術手段に記載の記録再生装置において、前記状態表示手段が、映像出力信号を画面表示する映像・音声表示装置の画面上に、現在の状態を該映像出力信号に重畳して画面表示することを特徴とする。
【００１４】
第７の技術手段は、前記第１乃至第６の技術手段のいずれかに記載の記録再生装置において、録画用及び再生用の操作入力手段を構成する制御機能群のそれぞれの制御機能が、当該記録再生装置の制御パネル上の操作ボタンを用いて録画用と再生用とに区分されて構成されているか、及び／又は、当該記録再生装置を遠隔操作するリモートコントローラ上の操作ボタンを用いて録画用と再生用とに区分されて構成されていることを特徴とする。
【００１５】
第８の技術手段は、前記第１乃至第６の技術手段のいずれかに記載の記録再生装置において、録画用及び再生用の操作入力手段を構成する制御機能群のそれぞれの制御機能が、映像出力信号を画面表示する映像・音声表示装置の画面上に、操作画面として該映像出力信号に重畳して画面表示される録画用と再生用とに区分して配置された仮想的なボタンイメージであり、当該記録再生装置の制御パネル上の操作ボタン、及び／又は、当該記録再生装置を遠隔操作するリモートコントローラ上の操作ボタンを用いて、前記仮想的なボタンイメージのいずれかを選択することにより、対応する録画用又は再生用の制御機能を実行させることができることを特徴とする。
【００１６】
第９の技術手段は、受信したテレビ放送を画面表示する映像・音声表示装置を備えたテレビ放送受信装置において、当該テレビ放送受信装置に接続されて、映像や音声を録画及び再生する機能を有する映像・音声記録再生装置を接続する接続手段と、該接続手段により当該テレビ放送受信装置に接続された前記映像・音声記録再生装置の録画用及び再生用の操作を遠隔で実施可能な遠隔操作手段と、を備え、該遠隔操作手段が、録画用及び再生用に使用する各種の制御機能を、録画時に使用する制御機能群からなる録画用操作入力手段と、再生時に使用する制御機能群からなる再生用操作入力手段とに区分し、録画用操作入力手段と再生用操作入力手段として、独立して別個に構成されていることを特徴とする。
【００１７】
第１０の技術手段は、前記第９の技術手段に記載のテレビ放送受信装置において、前記遠隔操作手段として、録画用操作入力手段と再生用操作入力手段とのいずれかを、操作が有効な状態に排他的に切り替えることができる切替手段を備えていることを特徴とする。
【００１８】
第１１の技術手段は、前記第９又は第１０の技術手段に記載のテレビ放送受信装置において、前記遠隔操作手段として、更に、接続された前記映像・音声記録再生装置の現在の制御状態を画面表示する状態表示手段を備えていることを特徴とする。
【００１９】
第１２の技術手段は、前記第９乃至第１１の技術手段のいずれかに記載のテレビ放送受信装置において、前記遠隔操作手段の録画用及び再生用の操作入力手段を構成する制御機能群のそれぞれの制御機能が、当該テレビ放送受信装置の制御パネル上の操作ボタンを用いて録画用と再生用とに区分されて構成されているか、及び／又は、当該テレビ放送受信装置を遠隔操作するリモートコントローラ上の操作ボタンを用いて録画用と再生用とに区分されて構成されていることを特徴とする。
【００２０】
第１３の技術手段は、前記第９の技術手段に記載のテレビ放送受信装置において、前記遠隔操作手段の録画用及び再生用の操作入力手段を構成する制御機能群のそれぞれの制御機能が、映像出力信号を画面表示する映像・音声表示装置の画面上に、操作画面として該映像出力信号に重畳して画面表示される録画用と再生用とに区分して配置された仮想的なボタンイメージであり、当該テレビ放送受信装置の制御パネル上の操作ボタン、及び／又は、当該テレビ放送受信装置を遠隔操作するリモートコントローラ上の操作ボタンを用いて、前記仮想的なボタンイメージのいずれかを選択することにより、対応する録画用又は再生用の制御機能を実行させることができることを特徴とする。
【００２１】
第１４の技術手段は、前記第１３の技術手段に記載のテレビ放送受信装置において、録画用に区分して配置された仮想的なボタンイメージ群からなる録画用操作画面と再生用に区分して配置された仮想的なボタンイメージ群からなる再生用操作画面とのいずれかを、操作が有効な状態に排他的に切り替えることができる切替手段を備えていることを特徴とする。
【００２２】
第１５の技術手段は、前記第１４の技術手段に記載のテレビ放送受信装置において、録画用操作画面と再生用操作画面とのうち、前記切替手段が操作を有効な状態にした操作画面のみを、映像出力信号に重畳して映像・音声表示装置の画面上に画面表示することを特徴とする。
【００２３】
第１６の技術手段は、前記第１４又は第１５の技術手段に記載のテレビ放送受信装置において、前記切替手段が操作を有効な状態とする操作画面として、録画用操作画面又は再生用操作画面のいずれかに切り替える際に、同時に、該操作画面に重畳して画面表示する映像出力信号も、操作を有効な状態とされた録画用操作画面又は再生用操作画面のそれぞれに対応する録画映像信号又は再生映像信号のいずれかに切り替えられて、画面表示されることを特徴とする。
【００２４】
第１７の技術手段は、前記第１３又は第１４の技術手段に記載のテレビ放送受信装置において、録画用に区分して配置された仮想的なボタンイメージ群からなる録画用操作画面と、録画用の映像出力信号を画面表示する録画映像画面と、再生用に区分して配置された仮想的なボタンイメージ群からなる再生用操作画面と、再生用の映像出力信号を画面表示する再生映像画面とを、同時に表示することができることを特徴とする。
【００２５】
第１８の技術手段は、前記第１７の技術手段に記載のテレビ放送受信装置において、再生映像画面の画面領域と録画映像画面の画面領域との大きさが略等しいか、あるいは、再生映像画面の画面領域の大きさが録画映像画面の画面領域よりも大きいことを特徴とする。
【００２６】
第１９の技術手段は、前記第１３乃至第１８の技術手段のいずれかに記載のテレビ放送受信装置において、録画用操作画面及び／又は再生用操作画面に、更に、接続された前記映像・音声記録再生装置の現在の制御状態を画面表示する状態表示手段を備えていることを特徴とする。
【００２７】
第２０の技術手段は、第９乃至第１９の技術手段いずれかに記載のテレビ放送受信装置において、前記映像・音声記録再生装置を、当該テレビ放送受信装置の外部機器として外部接続しているか、あるいは、当該テレビ放送受信装置内に内蔵して内部接続していることを特徴とする。
【発明の効果】
【００２８】
以上のごとき各技術手段から構成される本発明によれば、再生用と録画用の操作入力手段として、排他的に操作を有効とする再生用制御パネル（再生用の制御機能群）と録画用制御パネル（録画用の制御機能群）とに区分して別個に備えたり、あるいは、排他的に操作を有効とする再生用操作画面（再生用操作ボタンイメージ群）と録画用操作画面（録画用操作ボタンイメージ群）とに区分して別個に備えているので、再生時に誤って録画操作を行なうことを防ぎ、また、録画時に録画開始タイミングを逸することも防止できる。
【００２９】
更に、現在の制御状態を表示するために、再生用制御パネル（再生用の制御機能群）には現在の再生状態を表示し、録画用制御パネル（録画用の制御機能群）には現在の録画状態を表示することにより、操作の対象となる現在の制御状態を操作者は正しく認識することができる。
加えて、操作を有効とする操作入力手段として再生用又は録画用のいずれかの操作入力手段に切り替える際に、切り替える再生用又は録画用の操作入力手段にそれぞれ対応する再生用又は録画用の映像・音声信号のいずれかに同時に切り替えて、映像・音声表示装置に表示することにより、操作者に対して、録画している映像・音声内容あるいは再生している映像・音声内容を明確に提示することができる。
【発明を実施するための最良の形態】
【００３０】
以下に、本発明に係る記録再生装置及びテレビ放送受信装置の実施形態の一例について、図面を参照しながら説明する。
まず、本発明の実施形態１として、図１を用いて、本発明に係る記録再生装置のシステム構成について説明する。ここに、図１は、本発明に係る記録再生装置の実施形態におけるシステム構成の一例を示すシステム構成図である。
【００３１】
図１に示す記録再生装置１００は、復調・復号手段１０１、ＳＩ・ＥＰＧ受信手段１０２、映像・音声受信手段１０３、選局・情報出力手段１０４、録画用操作入力手段１０５、再生用操作入力手段１０６、映像・音声記録再生手段１０７を備え、更に、ＳＩ・ＥＰＧ受信手段１０２は、ＳＩ受信手段１０２ａ、ＥＰＧ情報受信手段１０２ｂを備え、選局・情報出力手段１０４は、選局手段１０４ａ、番組表提示手段１０４ｂ、番組予約設定手段１０４ｃ、映像・音声出力手段１０４ｄを備えている。また、記録再生装置１００は、外部機器として、アンテナ１１１と、映像・音声表示装置１１２とを接続している。
【００３２】
なお、ＳＩとは、Ｓｅｒｖｉｃｅ  Ｉｎｆｏｒｍａｔｉｏｎの略であり、番組配列情報のことであり、ＥＰＧとは、Ｅｌｅｃｔｒｏｎｉｃ  Ｐｒｏｇｒａｍ  Ｇｕｉｄｅの略であり、電子番組ガイドのことである。いずれも、利用者が放送番組を予約録画するために利用する情報であり、ＳＩ受信手段１０２ａとＥＰＧ情報受信手段１０２ｂとは、それぞれ、ＳＩ情報及びＥＰＧ情報を復調・復号信号の中から取得する手段を構成している。
【００３３】
選局・情報出力手段１０４は、操作者の指示により、外部のアンテナ１１１から復調・復号手段１０１、映像・音声受信手段１０３を経て受信した映像・音声の復調・復号信号、又は、映像・音声記録再生手段１０７から取り出した映像・音声の信号、あるいは、図示していないその他の経路で受信した映像・音声の信号のうち、いずれの信号を、映像・音声表示装置１１２に対して出力するかという切り替え制御手段（映像・音声出力手段１０４ｄ）や、外部のアンテナ１１１から受信した映像・音声の復調・復号信号のうち、いずれのチャンネルの信号を選局して映像・音声表示装置１１２に対して出力するかという選局制御手段（選局手段１０４ａ）や、ＳＩ・ＥＰＧ受信手段１０２にて取得した番組表を映像・音声表示装置１１２に出力したり、録画予約等のために操作画面に更に重畳して番組表を映像・音声表示装置１１２に出力する番組表提示制御手段（番組表提示手段１０４ｂ）や、操作者が指定した番組の予約を行なう番組設定制御手段（番組予約設定手段１０４ｃ）などの各種の制御手段を提供している。
【００３４】
録画用操作入力手段１０５は、録画時に使用する制御機能群を備えた操作入力手段であり、例えば、録画の開始と停止、一時停止等の操作をするための制御パネル上の操作ボタン又はリモートコントローラ（リモコン）上の操作ボタン（即ちリモコンボタン）等から構成されている。
【００３５】
再生用操作入力手段１０６は、再生時に使用する制御機能群を備えた操作入力手段であり、例えば、再生の開始と停止、一時停止、早送り、後戻し、頭出し等の操作をするための操作ボタン又はリモコンボタン等から構成されている。
【００３６】
録画用操作入力手段１０５、再生用操作入力手段１０６の一例として、記録再生装置１００に備えられている制御パネル上に、録画用操作手段（録画用操作ボタン）、再生用操作手段（再生用操作ボタン）を配設している例を、それぞれ、図３、図４に示す。ここに、図３は、本発明に係る録画用操作入力手段の一例である制御パネルの構成例を示す説明図であり、図４は、本発明に係る再生用操作入力手段の一例である制御パネルの構成例を示す説明図である。
【００３７】
図３に示す録画用制御パネル３００（録画用操作入力手段）は、操作が有効な制御パネルを、該録画用制御パネル３００から再生用の操作入力手段である再生用制御パネル４００に切り替えるための再生切替ボタン３０１、現在の制御状態として記録再生装置１００の録画状態を画面表示している状態表示手段３０２、録画を一時停止させる一時停止ボタン３０３、録画の開始を指示する録画ボタン３０４、録画を停止させる停止ボタン３０５、から構成されている。
【００３８】
図４に示す再生用制御パネル４００（再生用操作入力手段）は、操作が有効な制御パネルを、該再生用制御パネル４００から録画用の操作入力手段である録画用制御パネル３００に切り替えるための録画切替ボタン４０１、現在の制御状態として記録再生装置１００の再生状態を画面表示している状態表示手段４０２、再生を一時停止させる一時停止ボタン４０３、再生の開始を指示する再生ボタン４０４、再生を停止させる停止ボタン４０５、前ブロックの頭出しを指示する前頭出しボタン４０６、後方に早送りする後戻しボタン４０７、前方に早送りする先送りボタン４０８、次ブロックの頭出しを指示する次頭出しボタン４０９、から構成されている。
【００３９】
ここに、図３に示す録画用制御パネル３００と図４に示す再生用制御パネル４００とは、物理的に別個の制御パネルを構成しており、図４に示す再生用制御パネル４００における録画切替ボタン４０１、状態表示手段４０２、一時停止ボタン４０３、再生ボタン４０４、停止ボタン４０５は、図３に示す録画用制御パネル３００における再生切替ボタン３０１、状態表示手段３０２、一時停止ボタン３０３、再生ボタン３０４、停止ボタン３０５とは、それぞれ、略同一の機能を果たす操作ボタンであるが、録画用と再生用とに区分して物理的に別個に構成している例を示している。
【００４０】
しかし、図３に示す録画用制御パネル３００と図４に示す再生用制御パネル４００とを、物理的に同一の制御パネルとして構成して、録画切替ボタン４０１、状態表示手段４０２、一時停止ボタン４０３、再生ボタン４０４、停止ボタン４０５と再生切替ボタン３０１、状態表示手段３０２、一時停止ボタン３０３、再生ボタン３０４、停止ボタン３０５とを、それぞれ、物理的に同一の操作ボタンで構成しても良い。
【００４１】
このように、同一の制御パネルを構成して同一の操作ボタンで構成する場合、操作用の制御パネルを小型化することが可能となるが、録画用と再生用とで共用する操作ボタンが、録画用と再生用とのいずれの操作ボタンとして機能するかを明示するために、切替ボタンを備えている。即ち、再生用と録画用とを排他的に切り替える切替ボタンが、再生切替ボタン３０１，録画切替ボタン４０１のいずれの状態にあるかによって、状態表示手段、一時停止ボタン、再生ボタン、停止ボタンのそれぞれが、録画用の状態表示手段３０２、一時停止ボタン３０３、録画ボタン３０４、停止ボタン３０５として機能しているか、再生用の状態表示手段４０２、一時停止ボタン４０３、再生ボタン４０４、停止ボタン４０５として機能しているかが切り替わる。
【００４２】
図３や図４の制御パネル３００，４００において、図３に示す録画用制御パネル３００は、再生切替ボタン３０１を押すことにより、図４に示す再生用制御パネル４００に切り替わり、逆に、図４に示す再生用制御パネル４００は、録画切替ボタン４０１を押すことにより、図３に示す録画用制御パネル３００に切り替わる。ここで、再生用と録画用とを切り替える切替ボタンを、録画用制御パネル３００や再生用制御パネル４００とは別個に１つの切替ボタンとして配置するようにしても良く、かかる場合、該切替ボタンは、現在操作が有効な制御パネルが録画用制御パネル３００の場合においては、再生切替ボタン３０１として機能し、現在操作が有効な制御パネルが再生用制御パネル４００の場合においては、録画切替ボタンとして機能する。
【００４３】
また、図３に示す録画用制御パネル３００や図４に示す再生用制御パネル４００には、録画開始や再生開始からの経過時間や録画用のチャンネル番号などの制御状態の表示機能が備えられている。即ち、図３に示す録画用制御パネル３００の状態表示手段３０２、又は、図４に示す再生用制御パネル４００の状態表示手段４０２は、それぞれ、録画動作中又は再生動作中の現在の制御状態を画面表示するものである。図３に一例を示す表示例では、録画動作中においては、デジタルチューナを介して受信した放送番組の映像信号を３０分１秒に亙って録画中であり、録画記録用のディスクは５０％使用されている状態にあることを示しており、図４に一例を示す表示例では、３０分間の録画済みの番組１、番組名「ニュース」の再生中に、先頭から３分１０秒の位置で再生動作を停止している状態にあることを示している。即ち、録画用の状態表示と再生用の状態表示とで、表示すべき情報に違いがあることを利用して、現在の状態を一瞥して判別することを可能としている。
【００４４】
なお、図３及び図４に示す制御パネル３００，４００は、別個に備えた制御パネルを再生切替ボタン３０１又は録画切替ボタン４０１の押下により、再生用制御パネル４００又は録画用制御パネル３００に切り替えて使用し、いずれか一方のみを排他的に有効にする録画／再生切替手段を構成している例を示しているが、録画用制御パネルと再生用制御パネルとを、両者を離して別個に独立に備える構成としても構わない。かくのごとく、録画用制御パネルと再生用制御パネルとを離して別個に独立に備える場合であっても、前述の場合と同様に、録画用制御パネルと再生用制御パネルとのいずれか一方のみを排他的に有効にする録画／再生切替手段を別途備えるようにしても良い。あるいは、録画用制御パネルと再生用制御パネルとを１個の制御パネルとして備えて、録画用と再生用とで共用可能な制御機能（操作ボタン）を一つの制御機能に統合して配置し、録画用と再生用とのそれぞれに固有の制御機能群（操作ボタン群）を物理的に区分して配置し、かつ、再生切替ボタン３０１又は録画切替ボタン４０１により、録画用と再生用とのいずれかの制御機能群を有効にするように切替制御することにしても良い。
【００４５】
次に、図１に示す録画用操作入力手段１０５、再生用操作入力手段１０６の図３、図４とは異なる例として、当該記録再生装置１００を遠隔操作するリモートコントローラ（リモコン）の制御パネル上に、録画用操作手段（録画用操作ボタン）、再生用操作手段（再生用操作ボタン）を記録再生装置１００の操作入力手段として配設している例を、それぞれ、図５、図６に示す。ここに、図５は、本発明に係る録画用操作入力手段の異なる例としてリモコン上に配設した制御パネルの構成例を示す説明図であり、図６は、本発明に係る再生用操作入力手段の異なる例としてリモコン上に配設した制御パネルの構成例を示す説明図である。
【００４６】
図５に示すリモコン５００は、録画用の制御機能群からなる録画用制御パネル５００Ａ（録画用操作入力手段）を備え、この他に、録画用や再生用に共通に使用されるリモコン用の操作ボタンとして、例えば、リモコン５００の被制御対象である記録再生装置１００の電源のオン・オフを制御する電源ボタン５０２ａ、テレビ放送の番組を選局するための選局用ボタンであるチャンネルアップボタン５０２ｂ、チャンネルダウンボタン５０２ｃを備えている。録画用制御パネル５００Ａは、操作が有効な制御パネルを該録画用制御パネル５００Ａから再生用の操作入力手段である再生用制御パネル６００Ａに切り替えるための再生切替ボタン５０１、録画を一時停止させる一時停止ボタン５０３、録画の開始を指示する録画ボタン５０４、録画を停止させる停止ボタン５０５、から構成されている。
【００４７】
図６に示すリモコン６００は、図５に示すリモコン５００の再生切替ボタン５０１の押下により、再生動作時のリモコンの状態に移行した場合の操作ボタンの状態を示しており、リモコン６００は、再生用の制御機能群からなる再生用制御パネル６００Ａ（再生用操作入力手段）を備え、この他に、リモコン６００の被制御対象である記録再生装置１００の電源のオン・オフを制御する電源ボタン６０２ａ、チャンネルアップボタン６０２ｂ、チャンネルダウンボタン６０２ｃを備えている。なお、電源ボタン６０２ａ、チャンネルアップボタン６０２ｂ、チャンネルダウンボタン６０２ｃは、それぞれ、図５に示すリモコン５００の電源ボタン５０２ａ、チャンネルアップボタン５０２ｂ、チャンネルダウンボタン５０２ｃと物理的に同一のボタンとしても良い。
【００４８】
再生用制御パネル６００Ａは、操作が有効な制御パネルを該再生用制御パネル６００Ａから録画用の操作入力手段である録画用制御パネル５００Ａに切り替えるための録画切替ボタン６０１、再生を一時停止させる一時停止ボタン６０３、再生の開始を指示する再生ボタン６０４、再生を停止させる停止ボタン６０５、前ブロックの頭出しを指示する前頭出しボタン６０６、後方に早送りする後戻しボタン６０７、前方に早送りする先送りボタン６０８、次ブロックの頭出しを指示する次頭出しボタン６０９、から構成されている。
【００４９】
ここに、図５に示す録画用制御パネル５００Ａと図６に示す再生用制御パネル６００Ａとは、物理的に別個の制御パネルを構成しており、図６に示す再生用制御パネル６００Ａにおける録画切替ボタン６０１、一時停止ボタン６０３、再生ボタン６０４、停止ボタン６０５は、図５に示す録画用制御パネル５００Ａにおける再生切替ボタン５０１、一時停止ボタン５０３、再生ボタン５０４、停止ボタン５０５とは、それぞれ、略同一の機能を果たす操作ボタンであるが、録画用と再生用とに区分して物理的に別個に構成している例を示している。
【００５０】
しかし、図５に示す録画用制御パネル５００Ａと図６に示す再生用制御パネル６００Ａとを、物理的に同一の制御パネルとして構成して、録画切替ボタン６０１、一時停止ボタン６０３、再生ボタン６０４、停止ボタン６０５は、それぞれ、図５に示すリモコン５００の再生切替ボタン５０１、一時停止ボタン５０３、録画ボタン５０４、停止ボタン５０５と物理的に同一の操作ボタンで構成しても良い。
【００５１】
このように、同一の制御パネルを構成して同一の操作ボタンで構成する場合、リモコンの操作用の制御パネルを小型化することが可能となるが、録画用と再生用とで共用する操作ボタンが、録画用と再生用とのいずれの操作ボタンとして機能するかを明示するために、切替ボタンを備えている。即ち、再生用と録画用とを排他的に切り替える切替ボタンが、再生切替ボタン５０１，録画切替ボタン６０１のいずれの状態にあるかによって、一時停止ボタン、再生ボタン、停止ボタンのそれぞれが、録画用の一時停止ボタン５０３、録画ボタン５０４、停止ボタン５０５として機能しているか、再生用の一時停止ボタン６０３、再生ボタン６０４、停止ボタン６０５として機能しているかが切り替わる。
【００５２】
なお、再生用制御パネル（再生用操作入力手段）６００Ａ又は録画用制御パネル（録画用操作入力手段）５００Ａに切り替えるための再生切替ボタン５０１又は録画切替ボタン６０１は、それぞれ、図５に示す録画用制御パネル５００Ａ、又は、図６に示す再生用制御パネル６００Ａ内に物理的に別個のボタンとして備えられている場合を示しているが、リモコン５００，６００上の録画用制御パネル５００Ａ，再生用制御パネル６００Ａ以外の共通の領域に再生用と録画用とのいずれかに排他的に切り替える一つの切替ボタンとして別途備えるようにして、該切替ボタンを操作することにより、録画用制御パネル５００Ａと再生用制御パネル６００Ａとを排他的に切り替えるようにしても良い。
【００５３】
あるいは、再生用制御パネル６００Ａは、リモコン６００の蓋の表側に配設され、録画用制御パネル５００Ａは、リモコン５００の蓋を開いた内側に配設されるように構成しても良い。この場合、リモコン６００の蓋の表側に配設されている再生切替ボタン５０１と、リモコン５００の蓋を開いた内側に配設されている録画切替ボタン６０１とは、リモコンの表側と内側の同一の位置に上下に配置されていて、再生切替ボタン５０１と録画切替ボタン６０１とのいずれを押下した場合でも、リモコン内の同一位置にあるボタン接点を動作させ、再生用と録画用とのいずれかを排他的に選択して切り替えるように制御することも可能である。
【００５４】
以上に詳述したごとく、図３に示す録画用制御パネル３００や図４に示す再生用制御パネル４００のように、録画用の制御機能群である一時停止ボタン３０３，録画ボタン３０４，停止ボタン３０５と、再生用の制御機能群である一時停止ボタン４０３，再生ボタン４０４，停止ボタン４０５とを制御パネルとして別個に備えることにより、制御パネル上の制御機能群の機能が録画用と再生用とのいずれであるかを操作者に明確に示すことができ、録画と再生の操作を間違えて、意図しない操作をすることを防ぐことができる。
【００５５】
また、図３に示す録画用制御パネル３００や図４に示す再生用制御パネル４００の変形として、録画用と再生用とで共用可能な操作ボタンを一つに統合して、一つの制御パネル（操作入力手段）として構成する場合であっても、録画用と再生用との操作入力手段を切り替えていずれかを排他的に有効な操作入力手段として使用する切替手段を備えることにより、操作者が操作する操作対象を明確に切り分けることができる。このように、一つの制御パネルとして構成して、録画用と再生用とのいずれかの制御機能群に排他的に切り替える切替手段を用いる場合においては、例えば、録画用操作入力手段として必要な一時停止ボタン３０３，録画ボタン３０４，停止ボタン３０５などの操作ボタン、状態表示手段３０２などの状態表示機能と、再生用操作入力手段として必要な一時停止ボタン４０３，録画ボタン４０４，停止ボタン４０５などの操作ボタン、状態表示手段４０２などの状態表示機能とを共用することができ、操作入力手段の構成をより小型化することができる。
【００５６】
また、記録再生装置１００を遠隔操作するリモコンを用いる場合においても、図５に示す録画用制御パネル５００Ａや図６に示す再生用制御パネル６００Ａのように、録画用の制御機能群である一時停止ボタン５０３，録画ボタン５０４，停止ボタン５０５と、再生用の制御機能群である一時停止ボタン６０３，再生ボタン６０４，停止ボタン６０５とをリモコン５００，６００の制御パネルとして別個に備えることにより、各制御パネル上の制御機能群の機能が録画用と再生用とのいずれであるかを操作者に明確に示すことができ、録画用と再生用のリモコン操作を間違えて、意図しない操作をすることを防ぐことができる。
【００５７】
また、図５に示す録画用制御パネル５００Ａや図６に示す再生用制御パネル６００Ａの変形として、録画用と再生用とで共用可能な操作ボタンを一つに統合して、一つの制御パネル（操作入力手段）として構成する場合であっても、リモコン５００，６００の録画用と再生用との操作入力手段を切り替えていずれかを排他的に有効な操作入力手段として使用することもできるので、例えば、リモコン上の録画用操作入力手段として必要な一時停止ボタン５０３，録画ボタン５０４，停止ボタン５０５などの操作ボタンと、再生用操作入力手段として必要な一時停止ボタン６０３，再生ボタン６０４，停止ボタン６０５などの操作ボタンとを共用することができ、リモコンの制御パネルの構成をより小型化することができる。
【００５８】
更に、図５に示す録画用制御パネル５００Ａ、図６に示す再生用制御パネル６００Ａのように、録画用や再生用の操作入力手段を、記録再生装置１００本体そのものに備えるのではなく、リモコン５００，６００側に備えるようにする場合には、図５や図６に示すように、記録再生装置１００の現在の制御状態を示す状態表示手段を、リモコン５００，６００上に備える代わりに、映像出力信号を表示するために、記録再生装置１００に外部接続している図１の映像・音声表示装置１１２に対して、現在の制御状態に関する情報を出力することとしても良い。この場合、現在の制御状態を示す情報は、映像出力信号に重畳されて、映像出力信号と共に、映像・音声表示装置１１２の画面上に画面表示されることになり、操作者は、映像・音声表示装置１１２に画面表示された現在の制御状態を参照しながら、リモコンの操作ボタンを使って、録画用又は再生用の操作入力を行なうことができる。
【００５９】
なお、映像・音声表示装置１１２に画面表示された現在の制御状態を示す情報を参照しながら操作する操作入力手段としては、図５や図６の録画用制御パネル５００Ａや再生用制御パネル６００Ａに示すような、リモコン５００，６００上に配設されている場合のみに限るものではなく、図３や図４の録画用制御パネル３００や再生用制御パネル４００に示すような、記録再生装置１００本体の制御パネル上に備えられている操作ボタンを操作する場合であっても勿論構わない。
【００６０】
更に、リモコン５００，６００に備えられている図５に示す録画用制御パネル５００Ａや図６に示す再生用制御パネル６００Ａそのものも含めて、リモコン５００，６００に備える代わりに、図１の映像・音声表示装置１１２の画面上に録画用操作入力手段や再生用操作入力手段としての仮想的な制御機能群（ボタンイメージ群）を映像出力信号に重畳させて画面表示するようにしても良い。かかる場合においては、映像・音声表示装置１１２に映像出力信号と共に画面表示されている録画用操作入力手段や再生用操作入力手段の仮想的なボタンイメージのいずれか任意のボタンイメージを、記録再生装置１００本体の制御パネル上の操作ボタン、及び／又は、当該記録再生装置１００を遠隔操作するリモコン５００，６００の操作ボタンを操作して選択指定することにより、対応する録画用や再生用の制御機能を実行させることができる。
【００６１】
なお、映像・音声表示装置１１２に録画用操作入力手段や再生用操作入力手段を仮想的なボタンイメージ群として画面表示する場合においても、前述した実施形態の場合と同様に、仮想的なボタンイメージ群を、録画用と再生用とに区分して配置することにより、意図しないボタンイメージを誤って選択指定しないように構成することも可能であるし、また、操作を有効にする状態に排他的に切り替える切替手段を用いて、有効とされた録画用と再生用のいずれかの仮想的なボタンイメージ群の任意のボタンイメージのみを選択指定することを可能としても良いし、更には、該切替手段を用いて、現在操作が有効とされている録画用や再生用のいずれかの仮想的なボタンイメージ群のみを画面表示させるようにすることも可能である。
【００６２】
また、これらのいずれの場合においても、映像・音声表示装置１１２に画面表示された録画用や再生用のボタンイメージを選択指定する操作ボタンは、前述のように、リモコン５００，６００上に配設されている操作ボタンの場合のみに限るものではなく、記録再生装置１００本体の制御パネルに備えられているように構成しても勿論構わない。
【００６３】
次に、本発明の実施形態２として、図２を用いて、本発明に係るテレビ放送受信装置のシステム構成について説明する。ここに、図２は、本発明に係るテレビ放送受信装置の実施形態におけるシステム構成の一例を示すシステム構成図である。
【００６４】
図２に示すテレビ放送受信装置２００は、復調・復号手段２０１、ＳＩ・ＥＰＧ受信手段２０２、映像・音声受信手段２０３、選局・情報出力手段２０４、録画用操作入力手段２０５、再生用操作入力手段２０６、映像・音声表示装置２０７を備え、更に、ＳＩ・ＥＰＧ受信手段２０２は、ＳＩ受信手段２０２ａ、ＥＰＧ情報受信手段２０２ｂを備え、選局・情報出力手段２０４は、選局手段２０４ａ、番組表提示手段２０４ｂ、番組予約設定手段２０４ｃ、映像・音声出力手段２０４ｄを備えている。また、テレビ放送受信装置２００は、外部機器として、アンテナ２１１と、映像・音声記録再生装置２１２とを接続している。
【００６５】
即ち、図２に示すテレビ放送受信装置２００の構成においては、実施形態１として前述した記録再生装置１００の構成とは異なり、テレビ放送受信装置２００自身は映像・音声記録再生手段１０７を備えていないが、外部接続した映像・音声記録再生装置２１２の録画用、再生用の制御機能を、テレビ放送受信装置２００から遠隔で操作可能とする遠隔操作手段を備えている。即ち、テレビ放送受信装置２００の該遠隔操作手段として、実施形態１で説明した録画用操作入力手段１０５、再生用操作入力手段１０６と同様の機能を有し、更に、当該テレビ放送受信装置２００に接続された映像・音声記録再生装置２１２を遠隔操作する機能を併せ持った録画用操作入力手段２０５、再生用操作入力手段２０６を備えている。而して、操作者は、テレビ放送受信装置２００に備えられている録画用操作入力手段２０５、再生用操作入力手段２０６を操作することにより、外部機器として当該テレビ放送受信装置２００に接続された映像・音声記録再生装置２１２に対して、制御機能の実行を指示する指令を送信し、映像・音声記録再生装置２１２を遠隔操作することを可能としている。
【００６６】
なお、実施形態１における記録再生装置１００の場合は、映像・音声情報を表示する映像・音声表示装置１１２は外部機器として記録再生装置１００に接続する構成であったが、実施形態２におけるテレビ放送受信装置２００の場合は、映像・音声表示装置２０７として内蔵した形で構成している。また、以下の実施形態２の説明においては、前述のごとく、映像・音声記録再生装置２１２を外部機器として外部接続している場合について説明するが、本発明は、かかる場合に限るものではなく、映像・音声記録再生装置２１２についても、テレビ放送受信装置２００に内蔵して内部接続するように構成しても良い。
【００６７】
図２に示すテレビ放送受信装置２００においても、遠隔操作機能を有する録画用操作入力手段２０５、再生用操作入力手段２０６として、図３に示す録画用制御パネル３００や図４に示す再生用制御パネル４００のように、前述した実施形態１の場合と同様に、例えば、録画用の制御機能群である一時停止ボタン３０３，録画ボタン３０４，停止ボタン３０５と、再生用の制御機能群である一時停止ボタン４０３，再生ボタン４０４，停止ボタン４０５とをそれぞれの制御パネルとして別個に独立して備えることにより、録画用操作入力手段２０５、再生用操作入力手段２０６を用いて、外部に接続された映像・音声記録再生装置２１２の録画用や再生用の制御機能群のうち、指示した制御機能を間違うことなく遠隔操作することが可能である。即ち、操作入力手段としての制御パネルを録画用と再生用とで別個に設けることにより、テレビ放送受信装置２００の制御パネル上の操作ボタン（制御機能群）の機能が録画用と再生用とのいずれであるかを操作者に明確に示すことができ、録画と再生の操作を間違えて、意図しない操作をすることを防ぐことができる。
【００６８】
また、前述の実施形態１と全く同様に、図３に示す録画用制御パネル３００や図４に示す再生用制御パネル４００の変形として、録画用と再生用とで共用可能な操作ボタンを一つに統合して、一つの制御パネル（操作入力手段）として構成する場合であっても、操作が有効な操作ボタン群を、録画用と再生用とのいずれかの操作ボタン群（制御機能群）に排他的に切り替える切替手段を用いることにより、例えば図３に示す録画用操作入力手段として必要な一時停止ボタン３０３，録画ボタン３０４，停止ボタン３０５などの操作ボタン、状態表示手段３０２などの状態表示機能と、図４に示す再生用操作入力手段として必要な一時停止ボタン４０３，録画ボタン４０４，停止ボタン４０５などの操作ボタン、状態表示手段４０２などの状態表示機能とを共用することができ、テレビ放送受信装置２００に備える操作入力手段の構成をより小型化することができる。
【００６９】
また、前述の実施形態１と全く同様に、図３に示す録画用制御パネル３００や図４に示す再生用制御パネル４００の各操作ボタンそのものや、映像・音声記録再生手段２１２の現在の制御状態を示す状態表示手段３０２，４０２を、テレビ放送受信装置２００に備える代わりに、仮想的な制御機能群（ボタンイメージ群）として、映像・音声表示装置２０７に、映像出力信号に重畳させて画面表示するように構成しても良い。かくのごとく、録画用制御パネル３００や再生用制御パネル４００の各操作ボタンの画像イメージを操作画面として映像・音声表示装置２０７に映像出力信号に重畳させて画面表示する場合においても、再生用操作画面と録画用操作画面とが区分されて独立に画面表示されるようにすることにより、録画操作と再生操作とを間違えることなく指定することができる。
【００７０】
映像・音声表示装置２０７に映像出力信号に重畳されてそれぞれが独立して別個に画面表示されている録画用操作画面（録画用操作入力手段）や再生用操作画面（再生用操作入力手段）の仮想的なボタンイメージ群のうち、いずれかのボタンイメージを、リモコンの操作ボタンを操作して、あるいは、テレビ放送受信装置２００の制御パネル上の操作ボタンを操作して、選択指定することにより、外部接続された映像・音声記録再生装置２１２に対して、録画用や再生用の各種操作を指示することができる。
【００７１】
なお、録画用操作入力手段や再生用操作入力手段を仮想的なボタンイメージ群として映像・音声表示装置２０７に画面表示する場合においても、前述したように、録画用操作画面や再生用操作画面のうち、仮想的なボタンイメージ群からなる操作画面のいずれかを、操作が有効な状態に排他的に切り替えることも可能である。
【００７２】
即ち、録画用操作画面を有効にする場合は、録画切替ボタンを押下するように指定することにより、録画用操作画面が有効になって例えば明点表示となり、一方の再生用操作画面は無効になって例えば暗点表示に設定される。逆に、再生用操作画面を有効にする場合は、再生切替ボタンを押下するように指定することにより、再生用操作画面が有効になり、一方の録画用操作画面は無効に設定される。
【００７３】
また、操作が有効な操作画面に切り替える場合、操作画面を画面表示する方法として、操作画面の有効・無効に応じて、明点・暗点表示をする代わりに、無効な操作画面は画面表示せずに、有効な操作画面のみを画面表示するように切替表示をする仕組みを用いても良い。
【００７４】
録画用と再生用の操作画面のうち、操作が有効な操作画面を切り替えて表示（即ち、有効な操作画面の明点表示や有効な操作画面のみの表示）を行なう場合、映像・音声表示装置２０７の画面上に該操作画面を重畳して画面表示する映像出力信号についても、有効な操作画面に対応する映像出力信号を出力して画面表示するようにすることも可能である。即ち、操作が有効な操作画面として録画用操作画面に切り替えて画面表示する場合は、映像・音声表示装置２０７に出力する映像出力信号も、同時に、録画用の映像出力信号に切り替えて出力して、録画映像を画面表示し、一方、操作が有効な操作画面として再生用操作画面に切り替えて画面表示する場合は、映像・音声表示装置２０７に出力する映像出力信号も、同時に、再生用の映像出力信号に切り替えて出力して、再生映像を画面表示する。従って、例えば、操作が有効な操作画面のみを画面表示している場合には、録画用操作画面を画面表示中に表示する映像は、選局・情報出力手段２０４にて録画用として選局されたチャンネルのテレビ放送の映像であり、一方、再生用操作画面を画面表示中に表示する映像は、映像・音声記録再生手段２１２から再生される映像に限られる。
【００７５】
更に説明すれば、例えば、図４の再生用制御パネル４００のような再生用操作画面として映像・音声表示装置２０７に画面表示されている録画切替ボタン４０１を押下するように指定した場合には、操作が有効な操作画面として画像表示される操作画面が、再生用制御パネル４００から録画用制御パネル３００に示すような録画用操作画面に切り替わると同時に、図２に示すテレビ放送受信装置２００の選局・情報出力手段２０４において、映像・音声表示装置２０７に画面表示される映像として選択される映像・音声信号が、映像・音声記録再生装置２１２より読み出される映像・音声信号から、映像・音声再生記録装置２１２へ録画するための映像・音声信号、例えば、アンテナ２１１から受信して、選局手段２０４ａにて録画用として選局されている放送番組の映像・音声信号に切り替わる。
【００７６】
なお、図２のテレビ放送受信装置２００には示していないが、映像・音声再生記録装置２１２への録画対象となる入力映像・音声信号としては、アンテナ２１１から受信する放送番組の映像・音声信号以外に、外部装置として当該テレビ放送受信装置２００に接続したチューナあるいは映像・音声再生機器からの映像・音声信号であっても可能である。外部のチューナや映像・音声再生機器からの録画を指示した場合は、操作が有効な操作画面として、録画用制御パネル３００と同様の録画用操作画面を表示する際に、テレビ放送受信装置２００では、選局・情報出力手段２０４の映像・音声出力手段２０４ｄを制御して、アンテナ２１１から受信した放送番組の映像・音声信号の代わりに、外部に接続されているチューナあるいは映像・音声再生機器からの映像・音声信号を映像・音声表示装置２０７に出力して表示する。
【００７７】
一方、図３の録画用制御パネル３００のような録画用操作画面として映像・音声表示装置２０７に画面表示されている再生切替ボタン３０１を押下するように指定した場合には、操作が有効な操作画面として、画像表示される操作画面が、録画用制御パネル３００から再生用制御パネル４００に示すような再生用操作画面に切り替わると同時に、図２に示すテレビ放送受信装置２００の選局・情報出力手段２０４において、映像・音声表示装置２０７に画面表示される映像として選択される映像・音声信号が、例えば、アンテナ２１１から受信して、選局手段２０４ａにて録画用として選局されている放送番組の映像・音声信号から、映像・音声記録再生装置２１２から再生される映像・音声信号に切り替わる。
【００７８】
なお、図２のテレビ放送受信装置２００には示していないが、再生対象となる入力映像・音声信号としては、映像・音声記録再生装置２１２から読み出される映像・音声信号以外に、外部装置として当該テレビ放送受信装置２００に接続したチューナあるいは映像・音声再生機器からの映像・音声信号であっても可能である。外部のチューナや映像・音声再生機器からの再生を指示した場合は、操作が有効な操作画面として、再生用制御パネル４００と同様の再生用操作画面を表示する際に、テレビ放送受信装置２００では、選局・情報出力手段２０４の映像・音声出力手段２０４ｄを制御して、映像・音声記録再生手段２１２から入力される映像・音声信号の代わりに、外部に接続されているチューナあるいは映像・音声再生機器からの映像・音声信号を映像・音声表示装置２０７に出力して再生表示する。
【００７９】
以上のようなテレビ放送受信装置２００の構成により、操作者が、録画と再生との操作を間違えないようにするだけでなく、録画済みの番組を再生しているときに、再生している映像が、現在受信中の放送番組の映像であると錯覚して、録画しようとするような誤操作も防ぐことが可能である。
【００８０】
また、図２に示すテレビ放送受信装置２００において、映像・音声表示装置２０７に対して映像出力信号として複数の信号を同時に出力して複数の映像を同時に画面表示するマルチ画面機能を有する場合においては、前述したように、録画用制御パネル３００，再生用制御パネル４００それぞれの操作入力手段に関する仮想的な制御機能群を録画用操作画面、再生用操作画面として同時に表示する際に、それぞれの操作画面に対応する映像をも同時に画面表示するようにしても良い。図７は、本発明に係るテレビ放送受信装置の実施形態における画面表示の一例を示す説明図である。
【００８１】
図７に示すマルチ画面の画面表示例においては、表示画面７００を左右に略等しく２分して、左側画面領域が再生画面領域、右側画面領域が録画画面領域を構成しており、再生画面領域には、再生用の映像出力信号である再生映像を表示する再生映像画面７０１、再生用操作入力手段を表示する再生操作画面７０３が表示され、録画画面領域には、録画用の映像出力信号である録画映像を表示する録画映像画面７０２、録画用操作入力手段を表示する録画操作画面７０４が表示され、複数の画面がマルチ画面として同時に表示されている。
【００８２】
ここに、再生操作画面７０３は、図４に示す再生用制御パネル４００の各種操作ボタンと状態表示手段と同様の再生操作入力手段に関する情報を仮想的な操作ボタンイメージと状態表示画面として表示しているものであり、録画操作画面７０４は、図３に示す録画用制御パネルの各種操作ボタンと状態表示手段と同様の録画用操作入力手段に関する情報を仮想的な操作ボタンイメージと状態表示画面として表示しているものである。図７のように、マルチ画面として表示される場合、再生映像画面７０１や録画映像画面７０２に表示されている映像、及び／又は、再生操作画面７０３や録画操作画面７０４に表示されている現在の制御状態を参照しながら、テレビ放送受信装置２００の制御パネル上の操作ボタンや、該テレビ放送受信装置２００を遠隔操作するリモコンの操作ボタンを操作して、再生操作画面７０３や録画操作画面７０４上の各種操作ボタンイメージのいずれかを選択することにより、間違えることなく、より正確に再生用や録画用の各種操作を実現することができる。
【００８３】
ここで、図７の再生操作画面７０３にて再生開始や再生停止の操作を行なった場合、それに連動して、再生映像画面７０１には再生映像が表示開始されたり、再生映像の表示が停止される。一方、録画操作画面７０４にて一時停止や録画停止の操作をしても、録画映像画面７０２にはアンテナ２０２から受信して選局されていたチャンネルの放送番組がそのまま表示され続けるが、録画開始の操作をした際には、映像・音声記録再生手段２１２に録画される映像・音声が表示されるようになる。
【００８４】
なお、図７においては、再生映像画面７０１と録画映像画面７０２とを略同じ大きさの画面領域で表示している例を示しているが、図８に示すように、表示画面８００の大部分を再生映像画面８０１とし、表示画面８００の隅あるいは再生映像画面８０１の一部を録画映像画面８０２とすることにより、再生映像を主に見ながら、録画中の映像をモニターするような方法も可能である。ここに、図８は、本発明に係るテレビ放送受信装置の実施形態における画面表示の異なる例を示す説明図であり、再生操作画面８０３、録画操作画面８０４は、画面領域の大きさや配置位置は異なるものの、それぞれに備えられている機能は、図７の再生操作画面７０３、録画操作画面７０４の場合と全く同様である。
【００８５】
図７又は図８に示すように、再生映像画面７０１又は８０１、再生操作画面７０３又は８０３、録画映像画面７０２又は８０２、録画操作画面７０４又は８０４を、映像・音声表示装置２０７にマルチ画面として同時表示することにより、録画用又は再生用の操作と操作対象となる映像とを明確に区別して操作者に対して提示することができ、操作者が録画と再生とを間違えて操作することをより確実に防止することができる。
【図面の簡単な説明】
【００８６】
【図１】本発明に係る記録再生装置の実施形態におけるシステム構成の一例を示すシステム構成図である。
【図２】本発明に係るテレビ放送受信装置の実施形態におけるシステム構成の一例を示すシステム構成図である。
【図３】本発明に係る録画用操作入力手段の一例である制御パネルの構成例を示す説明図である。
【図４】本発明に係る再生用操作入力手段の一例である制御パネルの構成例を示す説明図である。
【図５】本発明に係る録画用操作入力手段の異なる例としてリモコン上に配設した制御パネルの構成例を示す説明図である。
【図６】本発明に係る再生用操作入力手段の異なる例としてリモコン上に配設した制御パネルの構成例を示す説明図である。
【図７】本発明に係るテレビ放送受信装置の実施形態における画面表示の一例を示す説明図である。
【図８】本発明に係るテレビ放送受信装置の実施形態における画面表示の異なる例を示す説明図である。
【符号の説明】
【００８７】
１００…記録再生装置、１０１…復調・復号手段、１０２…ＳＩ・ＥＰＧ受信手段、１０２ａ…ＳＩ受信手段、１０２ｂ…ＥＰＧ情報受信手段、１０３…映像・音声受信手段、１０４…選局・情報出力手段、１０４ａ…選局手段、１０４ｂ…番組表提示手段、１０４ｃ…番組予約設定手段、１０４ｄ…映像・音声出力手段、１０５…録画用操作入力手段、１０６…再生用操作入力手段、１０７…映像・音声記録再生手段、１１１…アンテナ、１１２…映像・音声表示装置、２００…テレビ放送受信装置、２０１…復調・復号手段、２０２…ＳＩ・ＥＰＧ受信手段、２０２ａ…ＳＩ受信手段、２０２ｂ…ＥＰＧ情報受信手段、２０３…映像・音声受信手段、２０４…選局・情報出力手段、２０４ａ…選局手段、２０４ｂ…番組表提示手段、２０４ｃ…番組予約設定手段、２０４ｄ…映像・音声出力手段、２０５…録画用操作入力手段、２０６…再生用操作入力手段、２０７…映像・音声表示装置、２１１…アンテナ、２１２…映像・音声記録再生装置、３００…録画用制御パネル（録画用操作入力手段）、３０１…再生切替ボタン、３０２…状態表示手段、３０３…一時停止ボタン、３０４…録画ボタン、３０５…停止ボタン、４００…再生用制御パネル（再生用操作入力手段）、４０１…録画切替ボタン、４０２…状態表示手段、４０３…一時停止ボタン、４０４…再生ボタン、４０５…停止ボタン、４０６…前頭出しボタン、４０７…後戻しボタン、４０８…先送りボタン、４０９…次頭出しボタン、５００…リモコン、５００Ａ…録画用制御パネル、５０１…再生切替ボタン、５０２ａ…電源ボタン、５０２ｂ…チャンネルアップボタン、５０３ｃ…チャンネルダウンボタン、５０３…一時停止ボタン、５０４…録画ボタン、５０５…停止ボタン、６００…リモコン、６００Ａ…再生用制御パネル、６０１…録画切替ボタン、６０２ａ…電源ボタン、６０２ｂ…チャンネルアップボタン、６０３ｃ…チャンネルダウンボタン、６０３…一時停止ボタン、６０４…再生ボタン、６０５…停止ボタン、６０６…前頭出しボタン、６０７…後戻しボタン、６０８…先送りボタン、６０９…次頭出しボタン、７００…表示画面、７０１…再生映像画面、７０２…録画映像画面、７０３…再生操作画面、７０４…録画操作画面、８００…表示画面、８０１…再生映像画面、８０２…録画映像画面、８０３…再生操作画面、８０４…録画操作画面。
【図１】
2006041933.tif 000003
【図２】
2006041933.tif 000004
【図３】
2006041933.tif 000005
【図４】
2006041933.tif 000006
【図５】
2006041933.tif 000007
【図６】
2006041933.tif 000008
【図７】
2006041933.tif 000009
【図８】
2006041933.tif 000010